(57)【要約】【課題】  タイル保持レールを１本毎に墨出しすることを不要にする。躯体壁面の角部に対しても、角部専用のタイルを用いることなく、通常のタイルを用いて他の部分と同様にタイル保持レールに保持でき、タイル自体の強度も充分に確保できるようにする。【解決手段】  タイル保持レール４の下辺縁に、上向き突部６ｂと下向き突部６ｃを有するタイル支持部６が形成されているとともに、各タイル１の上下面には上下の支持溝２・３が形成されている。タイル保持レール４同士が、互いの上下の一部分をオーバーラップさせ、そのオーバーラップ部分で互いの位置合わせ部７・８を位置合わせして躯体に配設され、タイル１は、その上側の支持溝２をタイル支持部の下向き突部６ｃに、下側の支持溝３をタイル支持部の上向き突部６ｂにそれぞれ係合させて、上下のタイル保持レールのタイル支持部で保持される。【選択図】  図８
2006045911.tif 000002
【特許請求の範囲】
【請求項１】
躯体に平行に配設される複数の横長のタイル保持レールにタイルを配列保持するタイル壁構造において、各タイル保持レールの下辺縁又は上辺縁に、上向き突部と下向き突部を有するタイル支持部が形成されているとともに、各タイルの上下面には上下の支持溝が形成され、タイル保持レール同士が、互いの上下の一部分をオーバーラップさせ、しかもそのオーバーラップ部分で互いの位置合わせ部を位置合わせして躯体に配設され、タイルは、その上側の支持溝を前記タイル支持部の下向き突部に、下側の支持溝をタイル支持部の上向き突部にそれぞれ係合させて、上下のタイル保持レールのタイル支持部間に保持されることを特徴とするタイル壁構造。
【請求項２】
タイル保持レール同士の位置合わせ部は、タイル保持レールの横長基板に形成された位置合わせ用の嵌合凹部と嵌合凸部で、これらを嵌合させて位置合わせすることを特徴とする請求項１に記載のタイル壁構造。
【請求項３】
タイル支持部は、タイル保持レールの横長基板の下辺縁又は上辺縁より一体的に前側へ突出させて、上向き突部と下向き突部とを形成したものであることを特徴とする請求項１又は２に記載のタイル壁構造。
【請求項４】
タイル支持部は、タイル保持レールの横長基板の下辺縁又は上辺縁より折曲して前側へ突出させた部分を折り返し、上向き突部と下向き突部を一体に形成したものであることを特徴とする請求項３に記載のタイル壁構造。
【請求項５】
タイルの上下面の支持溝が断面Ｖ形であることを特徴とする請求項１〜４のいずれかに記載のタイル壁構造。
【請求項６】
タイル支持部の上向き突部を逆Ｖ形として、その一辺から下向き突部を垂下形成していることを特徴とする請求項５に記載のタイル壁構造。
【請求項７】
タイル支持部に水抜き孔を設けたことを特徴とする請求項１〜６のいずれかに記載のタイル壁構造。
【請求項８】
躯体に平行に配設される複数の横長のタイル保持レールにタイルを配列保持するタイル壁の施工法において、前記タイル保持レールとして、上向き突部と下向き突部を有するタイル支持部を下辺縁又は上辺縁に設けたものを使用し、各タイルとして、その上下面に上下の支持溝を形成したものを使用し、タイル保持レール同士は、互いの上下の一部分をオーバーラップさせ、しかもそのオーバーラップ部分で互いの位置合わせ部を位置合わせして躯体に配設し、タイルは、その上側の支持溝を前記タイル支持部の下向き突部に、下側の支持溝をタイル支持部の上向き突部にそれぞれ係合させて、上下のタイル保持レールのタイル支持部間に保持することを特徴とするタイル壁の施工法。
【請求項９】
躯体に先に設置した下側のタイル保持レールの上向き突部に、タイルの下側の支持溝を係合させて載置状態とし、そのタイルの上側の支持溝に上側のタイル保持レールの下向き突部を係合させて上側のタイル保持レールを躯体に設置することを特徴とする請求項８に記載のタイル壁の施工法。
【請求項１０】
上下のタイル保持レールを躯体に設置した後、これら上下のタイル保持レールの上向き突部と下向き突部との間にタイルを挿入し、これら上向き突部と下向き突部とにタイルの上下の支持溝を係合させることを特徴とする請求項８に記載のタイル壁の施工法。
【請求項１１】
上下のタイル間に形成される目地間隙に目地材を充填して、タイル支持部の上向き突部と下向き突部を目地材に埋設することを特徴とする請求項８、９又は１０に記載のタイル壁の施工法。
【発明の詳細な説明】
【技術分野】
【０００１】
本発明は、横長のタイル保持金具であるタイル保持レールを用いてこれにタイル（レンガを含む）を配列保持するタイル壁構造とその施工法に関する。
【背景技術】
【０００２】
従来のこの種のタイル壁は、例えば特許文献１（特開平９−１０５２２０号公報）や特許文献２（特開２００３−１７２０１２号公報）に記載されているように、タイルの裏面の全長に断面台形の嵌合凹部（いわゆる蟻溝）を形成し、この嵌合凹部をタイル保持レールの全長にわたる凸部に嵌合させて、タイルをタイル保持レールに保持するのが一般的であった。
【０００３】
しかし、このような構造では次のような問題点があった。
（１）タイルは、その裏面全長に形成した断面台形の嵌合凹部をタイル保持レールの凸部に嵌合させてタイル保持レールに保持するため、タイルの上下の幅員をタイル保持レールの上下の幅員よりも大きくせざるを得ない。そのため、タイル保持レール同士を建物の躯体に平行に配設する場合、上下のタイル保持レールの間に隙間ができるようにタイル保持レール同士を互いに上下に離さなければならない。その結果、タイル保持レールを１本毎に墨出しする（位置決めするための基準線を施す）必要があり、煩雑でタイル保持レールの設置作業に多くの手間と時間を要する。
【０００４】
（２）タイルの裏面の嵌合凹部はタイルの左右両端においても、断面台形のまま開口しているため、躯体壁面の角部（コーナー）においてタイルをそのままタイル保持レールに保持すると、嵌合凹部の開口面が露呈するため、タイル保持レールは躯体壁面の角部の手前で留め、躯体壁面の角部に対しては、角部専用のタイル（コーナータイル）を用い、しかもタイル保持レールによらない接着等の別の保持手段でタイルを保持する必要があった。
【０００５】
（３）タイルの裏面の嵌合凹部は断面台形で、タイル保持レールの凸部はタイル保持レールの全長にわたっているため、タイルの嵌合凹部をタイル保持レールの凸部に嵌合させた後は、手直し等のためにタイルをタイル保持レールの中途で外すことは困難である。
【０００６】
（４）タイルの断面厚さが、断面台形の嵌合凹部を形成した分だけ薄くなり、それだけ強度が弱くなる。
【特許文献１】特開平９−１０５２２０号公報
【特許文献２】特開２００３−１７２０１２号公報
【発明の開示】
【発明が解決しようとする課題】
【０００７】
本発明の課題は、上述した従来における問題点を解決し、タイル保持レール同士を互いに上下に離さずに、部分的に重ね合わせた状態で躯体に配設することで、タイル保持レールを１本毎に墨出しすることが不要になり、タイル保持レールの設置作業が従来に比べ格段に容易になるとともに、躯体壁面の角部に対しても、角部専用のタイルを用いることなく、通常のタイルを用いて他の部分と同様にタイル保持レールに保持でき、しかもタイルをタイル保持レールに対してそのどこであっても同様に外すことが可能であり、またタイル自体の強度も充分に確保できるタイル壁構造とその施工法を提供することにある。
【課題を解決するための手段】
【０００８】
本発明によるタイル壁構造は、各タイル保持レールの下辺縁又は上辺縁に、上向き突部と下向き突部を有するタイル支持部が形成されているとともに、各タイルの上下面には上下の支持溝が形成され、タイル保持レール同士が、互いの上下の一部分をオーバーラップさせ、しかもそのオーバーラップ部分で互いの位置合わせ部を位置合わせして躯体に配設され、タイルは、その上側の支持溝をタイル支持部の下向き突部に、下側の支持溝をタイル支持部の上向き突部にそれぞれ係合させて、上下のタイル保持レールのタイル支持部間に保持される構造となっている。
【０００９】
その好適な構造は次のとおりである。
タイル保持レール同士の位置合わせ部は、タイル保持レールの横長基板に形成された位置合わせ用の嵌合凹部と嵌合凸部とし、これらを嵌合させて位置合わせする。
【００１０】
タイル支持部は、タイル保持レールの横長基板の下辺縁又は上辺縁より一体的に前側へ突出させて、上向き突部と下向き突部とを形成したものとする。さらに、タイル支持部は、タイル保持レールの横長基板の下辺縁又は上辺縁より折曲して前側へ突出させた部分を折り返し、上向き突部と下向き突部を一体に形成したものとする。
【００１１】
タイルの上下面の支持溝は断面Ｖ形とする。これに対応して、タイル支持部の上向き突部を逆Ｖ形として、その一辺から下向き突部を垂下形成したものとする。
タイル支持部に水抜き孔を設ける。
【００１２】
本発明のタイル壁の施工法は、タイル保持レールとして、上向き突部と下向き突部を有するタイル支持部を下辺縁又は上辺縁に設けたものを使用し、各タイルとして、その上下面に上下の支持溝を形成したものを使用し、タイル保持レール同士は、互いの上下の一部分をオーバーラップさせ、しかもそのオーバーラップ部分で互いの位置合わせ部を位置合わせして躯体に配設し、タイルは、その上側の支持溝を前記タイル支持部の下向き突部に、下側の支持溝をタイル支持部の上向き突部にそれぞれ係合させて、上下のタイル保持レールのタイル支持部間に保持する。
【００１３】
施工手順として、躯体に先に設置した下側のタイル保持レールの上向き突部に、タイルの下側の支持溝を係合させて載置状態とし、そのタイルの上側の支持溝に上側のタイル保持レールの下向き突部を係合させて上側のタイル保持レールを躯体に設置する方法と、上下のタイル保持レールを躯体に設置した後、これら上下のタイル保持レールの上向き突部と下向き突部との間にタイルを挿入し、これら上向き突部と下向き突部とにタイルの上下の支持溝を係合させる方法がある。
【００１４】
上下のタイル間に形成される目地間隙に目地材を充填して、タイル支持部の上向き突部と下向き突部を目地材に埋設する。
【発明の効果】
【００１５】
本発明によれば次のような効果がある。
（１）タイル保持レール同士を、互いの上下の一部分をオーバーラップさせ、しかもそのオーバーラップ部分で互いの位置合わせ部を位置合わせして躯体に配設するので、タイル保持レールを１本毎に墨出しすることが不要になることにより、タイル保持レールの設置作業が従来に比べ格段に容易になる。
（２）タイルの支持溝をタイル支持部の下向き突部に、下側の支持溝をタイル支持部の上向き突部にそれぞれ係合させて、上下のタイル保持レールのタイル支持部間に保持するので、タイルをタイル保持レールに対してそのどこであっても同様に外すことが可能である。
（３）タイルの裏面は凹部が無い平坦面となるので、躯体壁面の角部に対しても、角部専用のタイルを用いることなく、通常のタイルを用いて他の部分と同様にタイル保持レールに保持できるとともに、タイル自体の強度も充分に確保できる。
（４）タイル保持レール同士をオーバーラップさせるに当たり、タイル保持レールの横長基板に形成された位置合わせ用の嵌合溝と嵌合凸部を嵌合させると、位置合わせを簡単かつ精度良く行える。
（５）タイルを挟持するタイル支持部は、各タイル保持レールの下辺縁又は上辺縁の片側だけに一体的に突出形成すれば良いので、タイル保持レールの製作が容易である。
（６）タイルの上下面の支持溝を断面Ｖ形とし、これに対応して、タイル支持部は、上向き突部を逆Ｖ形に折曲して、その一辺から下向き突部を垂下形成したものとすると、タイルを安定して挟持できるとともに、タイル支持部の形状が単純になり、その部分の加工が容易である。
（７）タイル支持部に水抜き孔を設けると、タイル支持部から雨水等を排水できるので、タイル支持部に雨水等が溜まることがない。
【発明を実施するための最良の形態】
【００１６】
次に、本発明の実施例を図面に基づいて詳細に説明する。
【実施例１】
【００１７】
先ず、本発明において使用するタイルについて説明する。
図１及び図２に実施例１の１個のタイルを示す。このタイル１は全体として横長矩形で、その表面１ａと裏面１ｂは凹部の無い平坦面となっているが、上下面１ｃ・１ｄには、断面Ｖ形の上下の支持溝２・３が全長に形成されている。
【００１８】
次に、本発明において使用するタイル保持レールについて説明する。
図３及び図５（部分拡大図）に実施例１の一枚のタイル保持レールを示す。このタイル保持レール４は一枚の横長金属板で作られ、横長基板５の下辺縁に、前側へ突出するバネ性をもったタイル支持部６を一体に設けている。すなわち、タイル支持部６は、横長基板５の下辺縁から直角に折曲して前側へ突出させた部分を上側へ折曲し、さらに下側へ逆Ｖ形に折曲して、樋状部６ａと、逆Ｖ形の上向き突部６ｂと、この上向き突部６ｂから樋状部６ａよりも下方へ垂下する平板状の下向き突部６ｃとを一体に形成したものである。
【００１９】
タイル保持レール４の横長基板５には、位置合わせ用の上下の凸条７・８と、中間の固定基準用の凸条９とが、全長にわたり断面Ｃ状に前側に湾曲加工することにより形成されている。上下の凸条７・８は、タイル保持レール４同士を部分的にオーバーラップさせる際に、上側の凸条７の前面の凸面が位置合わせ用の嵌合凸部となり、下側の凸条８の背面の凹面が位置合わせ用の嵌合凹部とするため、これらはその嵌合を行えるサイズになっている。これら凸条７・８・９は、タイル保持レール４をビス止めする際に、それに沿ってビス止めすることを示すガイドになるとともに、タイル保持レール４とタイル１との間に必要に応じてボンド（コーキング材）１３を施す場合には、そのためのガイドにもなる。なお、これら３本の凸条７・８・９は、横長基板５の補強も兼ねている。
【００２０】
タイル支持部６の樋状部６ａには、水抜き孔１０が所要の間隔で設けられている。
【００２１】
次に、上記のようなタイル１とタイル保持レール４とを用いて施工するタイル壁構造と、その施工手順について説明する。
【００２２】
先ず、図５に示すように、最下段のタイル保持レール４のレベルを決めて（墨出しをする）、建物躯体の壁面に固定するが、その際、中間の凸条９に沿って孔を明けてビス１１を建物躯体壁面の縦胴縁１２にねじ込む。
【００２３】
次に、図６に示すように、固定した最下段のタイル保持レール４のタイル支持部６上にタイル１を乗せるようにして、タイル１の下側の支持溝３をタイル支持部６の上向き突部６ｂに係合させる。
【００２４】
次に、図７及び図９に示すように、２段目のタイル保持レール４の横長基板５の下側部分を、最下段のタイル保持レール４の横長基板５の上側部分にオーバーラップさせて、２段目のタイル保持レール４を同様に縦胴縁１２に固定する。このとき、最下段のタイル保持レール４の上側の凸条７の前面の凸面を位置合わせ用の嵌合凸部、２段目のタイル保持レール４の下側の凸条８の背面の凹面を位置合わせ用の嵌合凹部として、これらを嵌合させ、２段目のタイル保持レール４を位置決めする。また、２段目のタイル保持レール４の下向き突部６ｃを、上記のように設置したタイル１の上側の支持溝２に係合させる。タイル保持レール４同士のオーバーラップ部分も必要に応じてビス止めする。
以下、次の段でも同じことを繰り返す。
【００２５】
タイル保持レール４同士は、互いに部分的にオーバーラップさせ、互いの上下の凸条７・８による嵌合凸部と嵌合凹部を嵌合させて躯体壁面に固定していくため、タイル保持レール４の上下の位置を決めるに当たり、その個々について墨出しをする必要はなく、最下段のタイル保持レール４に対してだけ、例えば縦胴縁１２に１本だけ基準線を施せばよい。
【００２６】
上記のように設置されたタイル１は、その段のタイル保持レール４のタイル支持部６と、一つ上の段のタイル保持レール４のタイル支持部６とに挟持される。その挟持状態において、これら上下のタイル保持レール４のタイル支持部６は、タイル１の断面Ｖ形の上下の支持溝２・３に対して、断面逆Ｖ形の上向き突部６ｂが下側の支持溝３と係合し、平板状の下向き突部６ｃが上側の支持溝２と係合するので、タイル１は、タイル保持レール４に対して厚さ方向（前後方向）の位置を精度良く決められ、しかも安定した状態で保持される。
【００２７】
しかし、タイル支持部６にバネ性があり、しかもタイル支持部６の上向き突部６ｂと下向き突部６ｃによって、上下に隣接するタイル１間に水平な目地間隙１４が形成されるため、手直しが必要なときには、外そうとするタイルの左右両側にタイルが既に保持されていても、タイル保持レール４から抜き取ることが可能である。目地間隙１４に目地材（図示せず）を充填すれば、タイル支持部６を目地材に埋設することができる。
【００２８】
上述した従来例の場合、建物躯体の壁面角部には角部専用のタイル（コーナータイル）を用いざるを得なかったため、タイル保持レールを壁面角部まで延ばすことができなかったが、本発明では、図９に示す施工例及び図１０に示す施工例のように、タイル１を建物躯体の壁面角部にも使用できることから、建物躯体の２つの壁面のタイル保持レール４を、壁面角部の縦胴縁１２まで延ばして端縁を互いに突き合わせることができる。従って、この場合もタイル保持レール４の長さ方向（左右）の墨出しが不要となる。図９に示す施工例は、タイル支持部６の上向き突部６ｂと下向き突部６ｃとによる水平な目地間隙１４の他に、左右に隣接するタイル１の間にも目地間隙１５を形成した場合、図１０に示す施工例はそれを形成しない場合である。
【００２９】
次に、タイル保持レール４のタイル支持部６の変形例について説明する。
図１１に示す例は、タイル支持部６の上向き突部６ｂと下向き突部６ｃの強度を高めるため、その中間部分６ｄを前側に湾曲させたもの、図１２に示す例は、同様に後側に湾曲させたものである。
【００３０】
図１３に示す例は、タイル支持部６を断面Ｔ形にして、上向き突部６ｂと下向き突部６ｃとを共に単なる平板状としたもの、図１４に示す例は、上向き突部６ｂと下向き突部６ｃを、タイル１の断面Ｖ形の支持溝２・３の片面（斜面）に当接させるように、共に曲げたものである。
【００３１】
図１５に示す例は、上向き突部６ｂと下向き突部６ｃとを、それぞれ横長基板５から上下に分けて並設したものである。
【００３２】
上記の実施例１では、施工手順として、躯体に先に設置した下側のタイル保持レール４の上向き突部６ｂに、タイル１の下側の支持溝３を係合させて載置状態とし、そのタイル１の上側の支持溝２に上側のタイル保持レール４の下向き突部６ｃを係合させて上側のタイル保持レール４を躯体に設置する方法としたが、次に、上下のタイル保持レール４・４を躯体に設置した後、これら上下のタイル保持レール４・４の上向き突部６ｂと下向き突部６ｃとの間にタイル１を挿入し、これら上向き突部６ｂと下向き突部６ｃとにタイル１の上下の支持溝２・３を係合させる実施例について説明する。
【実施例２】
【００３３】
図１６及び図１７に後者の施工手順による実施例２を示す。この例では、タイル保持レール４のタイル支持部６の上向き突部６ｂを断面逆Ｕ形、下向き突部６ｃを断面Ｕ形としている。
一方、タイル１は、その背面の上下の角部１ａ・１ｂが弧状に角取りされている。
【００３４】
実施例２の施工は次のようにして行う。
図１６に示すように、タイル保持レール４相互を下から順に、互いに部分的にオーバーラップさせ、その際に互いの上下の凸条７・８による嵌合凸部と嵌合凹部を嵌合させて縦胴縁１２にビス止めしておいてから、上下のタイル保持レール４の互いのタイル支持部６の上向き突部６ｂと下向き突部６ｃとの間にタイル１を前側から強制的に挿入し、図１７に示すように、タイル１の上側の支持溝２を上側のタイル保持レール４の下向き突部６ｃに、下側の支持溝３を下側のタイル保持レール４の上向き突部６ｂにそれぞれ嵌合させる。タイル１は、このような上下両方の嵌合状態で上下のタイル支持部６・６間に保持される。
【実施例３】
【００３５】
図１８〜図２０は後者の施工手順による実施例３を示す。この例では、タイル保持レール４のタイル支持部６が、横長基板５に対し断面Ｎ形に折曲して形成され、タイル支持部６の樋状部６ａは、横長基板５の下端から上向きに傾斜してその先端部が逆Ｖ形の上向き突部６ｂとなり、また上向き突部６ｂから垂下した部分が平板状の下向き突部６ｃとなっている。
【００３６】
一方、タイル１は、上側の支持溝２が下側の支持溝３よりも深さが深くなっているとともに、これら上下の支持溝２・３は断面Ｖ形ではあるが、上側の支持溝２は、その後面が垂直面、前面が傾斜面であるのに対し、下側の支持溝３は、これとは逆に後面が傾斜面、前面が垂直面になっている。また、タイル１は、その背面の上下の角部１ａ・１ｂが斜めに角取りされている。
【００３７】
実施例３の施工は次のようにして行う。
図１８に示すように、タイル保持レール４相互を下から順に、互いに部分的にオーバーラップさせ、その際に互いの上下の凸条７・８による嵌合凸部と嵌合凹部を嵌合させて縦胴縁１２にビス止めしておく。そして、タイル１を傾けた姿勢にして上側の支持溝２を上側のタイル保持レール４の下向き突部６ｃに向かって下方から接近させ、下向き突部６ｃの下端が上側の支持溝２の奥端まで達するところまで持ち上げてから、図１９に示すように、下側の支持溝３が下側のタイル保持レール４の上向き突部６ｂの真上に位置する垂直姿勢になるところまでタイル１を上下のタイル支持部６・６間に挿入し、そのままタイル１を下降させて下側の支持溝３をタイル保持レール４の上向き突部６ｂに嵌合させる。
【００３８】
これによりタイル１は、図２０に示すように、下側の支持溝３が下側のタイル保持レール４の上向き突部６ｂに、傾斜した後面及び垂直な前面を密着させて嵌合するとともに、上側の支持溝２が、垂直な後面を上側のタイル保持レール４の下向き突部６ｃに当接させてこの下向き突部６ｃを受け入れた状態で上下のタイル支持部６・６間に安定して保持される。上側の支持溝２と上側のタイル保持レール４の下向き突部６ｃとの間には隙間が形成されるが、下側のタイル保持レール４の上向き突部６ｂの先端（上端）と上側のタイル保持レール４の下向き突部６ｃの下端との間の上下の間隔Ｓは、タイル１の上面と下面との間の上下の高さＨより小さい（Ｓ＜Ｈ）ので、タイル１は、上下のタイル支持部６・６間から不用意に脱落することはない。タイル１の裏側において、上側のタイル保持レール４のタイル支持部６との間にコーキング材を施せば、タイル１の保持はより確実になる。
【産業上の利用可能性】
【００３９】
以上、本発明の好ましい実施例について説明したが、タイル保持レール４のタイル支持部６を、上記の実施例とは逆に上辺縁に設けてもよく、また、タイル１の上下の支持溝２・３の断面形状は、Ｖ形に限らず、Ｕ形やＣ形やΩ形や台形や矩形などでもよい。さらに、タイル保持レール４をビス１１を用いて縦胴縁１２に固定したが、縦胴縁を用いずに躯体壁面に直接固定してもよく、またビスの他に釘などの他の固定手段で固定してもよいこと勿論である。
【図面の簡単な説明】
【００４０】
【図１】本発明の実施例１において使用するタイルの正面図である。
【図２】その端面図である。
【図３】実施例１において使用するタイル保持レールを示し、（Ａ）は端面図、（Ｂ）は正面図、（Ｃ）は平面図である。
【図４】同上の拡大図で、（Ａ）は端面図、（Ｂ）は一部分の正面図、（Ｃ）は一部分の平面図である。
【図５】実施例１のタイル壁構造の施工手順を示し、最下段のタイル保持レールの固定状態とタイルの分解斜視図である。
【図６】最下段のタイル保持レールにタイルを保持した状態の斜視図である。
【図７】図６の状態から２段目のタイル保持レールを固定した状態の斜視図である。
【図８】完成されたタイル壁構造の断面図である。
【図９】建物躯体の壁面角部での施工例を示す斜視図で、左右に隣接するタイルの間にも目地間隙を形成した場合である。
【図１０】左右に隣接するタイルの間に目地間隙を形成しない場合の斜視図である。
【図１１】タイル保持レールのタイル支持部の変形例を示す断面図である。
【図１２】同じく変形例を示す断面図である。
【図１３】同じく変形例を示す断面図である。
【図１４】同じく変形例を示す断面図である。
【図１５】同じく変形例を示す断面図である。
【図１６】本発明の実施例２の施工手順を示す断面図である。
【図１７】その完成状態の断面図である。
【図１８】本発明の実施例３の施工手順を示す断面図である。
【図１９】同様の断面図である。
【図２０】その完成状態の断面図である。
【符号の説明】
【００４１】
１  タイル
１ａ  表面
１ｂ  裏面
１ｃ・１ｄ  上下面
２・３  上下の支持溝
４  タイル保持レール
５  横長基板
６  タイル支持部
６ａ  樋状部
６ｂ  上向き突部
６ｃ  下向き突部
７・８・９  凸条
１０  水抜き孔
１１  ビス
１２  縦胴縁
１３  ボンド
１４・１５  目地間隙
【図１】
2006045911.tif 000003
【図２】
2006045911.tif 000004
【図３】
2006045911.tif 000005
【図４】
2006045911.tif 000006
【図５】
2006045911.tif 000007
【図６】
2006045911.tif 000008
【図７】
2006045911.tif 000009
【図８】
2006045911.tif 000010
【図９】
2006045911.tif 000011
【図１０】
2006045911.tif 000012
【図１１】
2006045911.tif 000013
【図１２】
2006045911.tif 000014
【図１３】
2006045911.tif 000015
【図１４】
2006045911.tif 000016
【図１５】
2006045911.tif 000017
【図１６】
2006045911.tif 000018
【図１７】
2006045911.tif 000019
【図１８】
2006045911.tif 000020
【図１９】
2006045911.tif 000021
【図２０】
2006045911.tif 000022